(57)【要約】【課題】レーザースキャナによる点群データの測定において、従来の方法であると欠測してしまうことがある光学的な反射体付近の点群データを取得する。【解決手段】レーザー光により測定対象に配置された反射体の三次元座標を計測する測位部を備えた演算制御部１１３と、前記測定対象に対するレーザースキャンを行うレーザースキャナ部１０１とを備え、前記測位部による前記反射体の三次元座標に基づき前記反射体のレーザースキャンデータの取得を行わない角度範囲となるマスク角を算出するレーザースキャナ付ＴＳ１００。【選択図】図４
2019113507.tif 000002
【特許請求の範囲】
【請求項１】
レーザー光により測定対象に配置された反射体の三次元座標を計測する三次元座標計測手段と、
前記測定対象に対するレーザースキャンを行うレーザースキャナ手段と、
前記三次元座標計測手段による前記反射体の三次元座標に基づき前記反射体のレーザースキャンデータの取得を行わない角度範囲となるマスク角を算出するマスク角算出手段と
を備える測量装置。
【請求項２】
前記マスク角の範囲におけるレーザースキャン光の照射を行わない動作および前記マスク角の範囲におけるレーザースキャン光の受光を行わない動作のうち少なくとも一つの動作を行う請求項１に記載の測量装置。
【請求項３】
前記マスク角が前記反射体の三次元座標に加えて、前記反射体の寸法に基づき計算される請求項１または請求項２に記載の測量装置。
【請求項４】
前記マスク角算出部は、前記レーザースキャナ手段がレーザースキャン光を照射する範囲に反射体が複数あった場合、反射体ごとに前記マスク角を算出する請求項１〜３のいずれか一項に記載の測量装置。
【請求項５】
測定対象に配置された反射体の三次元座標を計測する三次元座標計測手段と、
前記測定対象に対するレーザースキャンを行うレーザースキャナ手段と
を制御する測量用制御装置であって、
前記三次元座標計測手段による前記反射体の三次元座標に基づき前記反射体のレーザースキャンデータの取得を行わない角度範囲となるマスク角を算出するマスク角算出手段を備える測量用制御装置。
【請求項６】
測量手段を制御する方法であって、
レーザー光により測定対象に配置された反射体の三次元座標を計測する三次元座標計測ステップと、
前記測定対象に対するレーザースキャンを行うレーザースキャンステップと、
前記三次元座標計測機器による前記反射体の三次元座標に基づき前記反射体のレーザースキャンデータの取得を行わない角度範囲となるマスク角を算出するマスク角算出ステップと
を有する測量制御方法。
【請求項７】
コンピュータに読み取らせて実行させる測量制御処理用プログラムであって、
コンピュータを
レーザー光により測定対象に配置された反射体の三次元座標を計測する三次元座標計測手段と、
前記測定対象に対するレーザースキャンを行うレーザースキャナ手段と、
前記三次元座標計測手段による前記反射体の三次元座標に基づき前記反射体のレーザースキャンデータの取得を行わない角度範囲となるマスク角を算出するマスク角算出手段と
を備える測量装置として機能させる測量制御処理用プログラム。
【発明の詳細な説明】
【技術分野】
【０００１】
本発明は、反射プリズムを用いた測量の技術に関する。
【背景技術】
【０００２】
測量装置として、測距光を用いて特定の点の位置を精密に測定する自動視準追尾（モータドライブ）ＴＳ（トータルステーション）が知られている（例えば、特許文献１を参照）。また、測量対象（ターゲット）の点群データを得る装置として、レーザースキャナが知られている（例えば、特許文献２を参照）。また、トータルステーションからの測距光を反射する反射プリズムが知られている（例えば、特許文献３を参照）。
【先行技術文献】
【特許文献】
【０００３】
【特許文献１】特開２００９−２２９１９２号公報
【特許文献２】特開２０１０−１５１６８２号公報
【特許文献３】特開２０００−２２１０３２号公報
【発明の概要】
【発明が解決しようとする課題】
【０００４】
自動視準および追尾を持つＴＳ等の装置は、反射プリズム等の光学的な反射体を補足することで自動視準および追尾を行うため、光学的な反射体が必要不可欠である。しかし、自動視準追尾ＴＳ（ＭＤＴＳ）とレーザースキャナとが一体となった測量装置においては、測定対象の点群データ取得のためのスキャン（走査）時に、光学的な反射体を測定するとスキャンの受光センサが飽和し、その直後に測定するスキャンデータ（点群データ）が欠測してしまう場合がある。そこで本発明は、光学的な反射体の位置を特定することで、光学的な反射体からの反射光を受光しない技術の提供を目的とする。
【課題を解決するための手段】
【０００５】
請求項１に記載の発明は、レーザー光により測定対象に配置された反射体の三次元座標を計測する三次元座標計測手段と、前記測定対象に対するレーザースキャンを行うレーザースキャナ手段と、前記三次元座標計測手段による前記反射体の三次元座標に基づき前記反射体のレーザースキャンデータの取得を行わない角度範囲となるマスク角を算出するマスク角算出手段とを備える測量装置である。
【０００６】
請求項２に記載の発明は、請求項１に記載の発明において、前記マスク角の範囲におけるレーザースキャン光の照射を行わない動作および前記マスク角の範囲におけるレーザースキャン光の受光を行わない動作のうち少なくとも一つの動作を行う請求項１に記載の測量装置を備えることを特徴とする。
【０００７】
請求項３に記載の発明は、請求項１または請求項２に記載の発明において、前記マスク角が前記反射体の三次元座標に加えて、前記反射体の寸法に基づき計算されることを特徴とする。
【０００８】
請求項４に記載の発明は、請求項１〜請求項３のいずれか一項に記載の発明において、前記マスク角算出部は、前記レーザースキャナ手段がレーザースキャン光を照射する範囲に反射体が複数あった場合、反射体ごとに前記マスク角を算出することを特徴とする。
【０００９】
請求項５に記載の発明は、測定対象に配置された反射体の三次元座標を計測する三次元座標計測手段と、前記測定対象に対するレーザースキャンを行うレーザースキャナ手段とを制御する測量用制御装置であって、前記三次元座標計測手段による前記反射体の三次元座標に基づき前記反射体のレーザースキャンデータの取得を行わない角度範囲となるマスク角を算出するマスク角算出手段を備える測量用制御装置である。
【００１０】
請求項６に記載の発明は、測量手段を制御する方法であって、レーザー光により測定対象に配置された反射体の三次元座標を計測する三次元座標計測ステップと、前記測定対象に対するレーザースキャンを行うレーザースキャンステップと、前記三次元座標計測機器による前記反射体の三次元座標に基づき前記反射体のレーザースキャンデータの取得を行わない角度範囲となるマスク角を算出するマスク角算出ステップとを有する制御方法である。
【００１１】
請求項７に記載の発明は、コンピュータに読み取らせて実行させる測量制御処理用プログラムであって、コンピュータをレーザー光により測定対象に配置された反射体の三次元座標を計測する三次元座標計測手段と、前記測定対象に対するレーザースキャンを行うレーザースキャナ手段と、前記三次元座標計測手段による前記反射体の三次元座標に基づき前記反射体のレーザースキャンデータの取得を行わない角度範囲となるマスク角を算出するマスク角算出手段とを備える測量装置として機能させる測量制御処理用プログラムである。
【発明の効果】
【００１２】
本発明によれば、光学的な反射体を備える測定対象をスキャンした際に、該反射体からの反射光の受光を回避することが可能となる。光学的な反射体からの反射光は、直後の点群データの欠測の原因となるため、従来欠測してしまっていたデータの取得が可能となる。例えば、重力方向と一致する方向で、反射プリズムを一直線にスキャンした場合、本発明の技術を用いなければ、反射プリズムの下側の範囲に点群データが欠測する部分が生じ得るが、本発明の技術を用いれば、欠測部分を減少させることができる。
【図面の簡単な説明】
【００１３】
【図１】実施形態の概念図である。
【図２】ＴＳの斜視図である。
【図３】ＴＳの正面図である。
【図４】ＴＳのブロック図である。
【図５】ＴＳに備えられる反射体マスク制御部のブロック図である。
【図６】処理の一例を示すフローチャートである。
【発明を実施するための形態】
【００１４】
（概要）
本発明は、光学的な反射体を測位（測距および測角）することによって得られる位置データを、該反射体を備える測定対象（ターゲット）をレーザースキャンする際に利用するものである。本実施形態では、光学的な反射体を反射プリズムとして説明をする。
【００１５】
図１は、本実施形態の概念図である。図１には、レーザースキャナ機能を有するＴＳ１００、ＴＳ１００により測位およびスキャンされる測定対象物２００が示されている。ここで測定対象物２００は、静止している物体であって、ＴＳ１００による測定対象である。
【００１６】
（ＴＳの構成）
図２には、図１に示すＴＳ１００の斜視図が示され、図３には、正面図が示されている。ＴＳ１００は、ターゲット（または、ターゲットに備えられる反射プリズム）を探索する探索用レーザースキャン機能、および探索したターゲット（ターゲットに備えられる反射プリズム）を自動視準するための機構を備える。
【００１７】
この自動視準のための機構は、追尾光の送受信部を構成する追尾光受光部１０４、追尾光受光部１０５、追尾光を用いた視準を行うためのモータ駆動機構を構成する水平回転駆動部１０８と鉛直回転駆動部１０９、自動追尾の制御を行う自動視準制御部３０１（本実施形態では、ＴＳ１００の演算制御部１１３が備える反射体マスク制御部３００に含まれる。）を有する。なお、ＴＳ１００が自動視準機能を有することで、オペレータがターゲットを視準する作業を大幅に削減できる。
【００１８】
また、ＴＳ１００は、測距用レーザー光を用いてターゲットまでの距離を測距するレーザー測距機能、レーザー測距されたターゲットの方向（水平角と鉛直角（仰角または俯角））を計測する測角機能、ターゲットまでの距離と方向からターゲットの三次元位置（座標）を算出する機能（測位機能）、点群データを得るためのレーザースキャン機能を有する。上記の測位機能は、ＴＳ本来のターゲットの位置を精密に測定する機能（ＴＳ機能）である。
【００１９】
図２に示すようにＴＳ１００は、ＴＳ本体２０とレーザースキャナ部１０１を結合（複合化）した構造を有している。ＴＳ１００は、本体部１１を有している。本体部１１は、台座１２に水平回転が可能な状態で保持されている。台座１２は図示しない三脚の上部に固定される。本体部１１は、Ｙ軸の方向から見て上方に向かって延在する２つの延在部を有する略コの字形状を有し、この２つの延在部の間に可動部１３が鉛直角（仰角および俯角）の制御が可能な状態で保持されている。
【００２０】
本体部１１は、台座１２に対して電動で回転する。すなわち、本体部１１は、モータにより台座１２に対する水平回転角の角度制御が行われる。また、可動部１３は、モータにより鉛直角の角度制御が行なわれる。この水平回転角と鉛直角の角度制御のための駆動は、本体部１１に内蔵された水平回転駆動部１０８および鉛直回転駆動部１０９（図４のブロック図を参照）により行われる。なお、水平回転駆動部１０８および鉛直回転駆動部１０９についての説明は後述する。
【００２１】
本体部１１には、水平回転角制御ダイヤル１４ａと鉛直角制御ダイヤル１４ｂが配置されている。水平回転角制御ダイヤル１４ａを操作することで、本体部１１（可動部１３）の水平回転角の調整が行なわれ、鉛直角制御ダイヤル１４ｂを操作することで、可動部１３の鉛直角の調整が行なわれる。
【００２２】
可動部１３の上部には、大凡の照準を付ける角筒状の照準器１５ａが配置されている。また、可動部１３には、照準器１５ａよりも視野が狭い光学式の照準器１５ｂと、より精密な視準が可能な望遠鏡１６が配置されている。
【００２３】
照準器１５ｂと望遠鏡１６が捉えた像は、接眼部１７を覗くことで視認できる。望遠鏡１６は、測距用のレーザー光と測距対象（例えばターゲットとなる専用の反射プリズム）を追尾および捕捉するための追尾光の光学系を兼ねている。測距光と追尾光の光軸は、望遠鏡１６の光軸と一致するように光学系の設計が行なわれている。この部分の構造は、市販されているＴＳと同じである。
【００２４】
本体部１１には、ディスプレイ１８と１９が取り付けられている。ディスプレイ１８は、後述する操作部１１１と一体化されている。ディスプレイ１８と１９には、ＴＳ１００の操作に必要な各種の情報や測量データ等が表示される。前後に２つディスプレイがあるのは、本体部１１を回転させなくても前後のいずれの側からでもディスプレイを視認できるようにするためである。なお、説明したＴＳの詳細な構造については、例えば特開２００９−２２９１９２号公報、特開２０１２―２０２８２１号公報に記載されている。
【００２５】
本体部１１の上部には、レーザースキャナ部１０１が固定されている。レーザースキャナ部１０１は、第１の塔部２１と第２の塔部２２を有している。第１の塔部２１と第２の塔部２２は、結合部２３で結合され、結合部の上方の空間（第１の塔部２１と第２の塔部２２の間の空間）は、スキャンレーザー光を透過する部材で構成された保護ケース２４で覆われている。保護ケース２４の内側には、第１の塔部２１からＸ軸方向に突出した回転部２５が配置されている。回転部２５の先端は、斜めに切り落とされた形状を有し、その先端部には、斜めミラー２６が固定されている。
【００２６】
回転部２５は、第１の塔部２１に納められたモータにより駆動され、Ｘ軸を回転軸として回転する。第１の塔部２１には、上記のモータに加え、このモータを駆動する駆動回路と、その制御回路が納められている。なお、回転部２５は、第１の塔部２１からＹ軸方向に突出させる構造とすれば、Ｙ軸を回転軸として回転させることもできる。
【００２７】
第２の塔部２２の内部には、レーザースキャン光（レーザースキャン用のパルスレーザー光）を発光するための発光部、測定対象から反射してきたスキャン光を受光する受光部、発光部と受光部に関係する光学系が納められている。レーザースキャン光は、第２の塔部２２の内部から斜めミラー２６に向けて照射され、そこで反射され、透明なケース２４を介して外部に照射される。また、測定対象から反射したスキャン光は、照射光と逆の経路を辿り、第１の塔部２２内部の受光部で受光される。
【００２８】
スキャン光の発光タイミングと受光タイミング、さらにその際の回転部２５の角度位置と本体部１１の水平回転角により、スキャン点（スキャン光の反射点）の測位が行なわれる。
【００２９】
レーザースキャン用のパルスレーザー光は、回転部２５の回転軸の延在方向に出射され、斜めミラー２６で直角に反射される。斜めミラー２６で反射されたパルスレーザー光は、透明な保護ケース２４から外部に向かって間欠的に出射される。この際、回転部２５が図２におけるＸ軸を回転軸とした回転（Ｘ軸回りの回転）をすることで、Ｙ−Ｚ面に沿った鉛直面をスキャン面としたレーザースキャンが行われる。また、上記のスキャン面に望遠鏡１６から出射される測距光（ＴＳ本体２０の測距光）の光軸が含まれるように全体の構造が決められている。ここで、本体部１１を水平回転（図２におけるＺ軸回りの回転）させながら上記のパルスレーザー光の出射を行うことで、周囲全体（あるいは必要とする範囲）のレーザースキャンが行なわれる。なお、複数条のパルスレーザー光を同時に出射する形態も可能である。
【００３０】
本体部１１を水平回転（図２におけるＺ軸回りの回転）させることは、上述の本体部１１を台座１２に対して電動で回転させる機構を利用して行う。レーザースキャンのみが目的ならば、本体部１１の回転機構とは別にレーザースキャナ部１０１のみを回転させる専用の機構を備えることで行ってもよい。
【００３１】
なお、レーザースキャナに係る技術については、特開２０１０−１５１６８２号公報、特開２００８−２６８００４号公報、米国特許第８７６７１９０号公報等に記載されている。また、レーザースキャナとして、米国公開公報ＵＳ２０１５／０２９３２２４号公報に記載されているような、スキャンを電子式に行う形態ものも採用可能である。
【００３２】
図４は、ＴＳ１００のブロック図である。ＴＳ１００は、レーザースキャナ部１０１、記憶部１０２、測距部１０３、追尾光発光部１０４、追尾光受光部１０５、水平角検出部１０６、鉛直角検出部１０７、水平回転駆動部１０８、鉛直回転駆動部１０９、表示部１１０、操作部１１１、通信部１１２、演算制御部１１３を備えている。
【００３３】
レーザースキャナ部１０１は、パルスレーザー光を測定対象に対してスキャン（走査）し、その反射光を検出することで、測定対象の概形を三次元座標を有する点群データとして得る。すなわち、レーザースキャナ部１０１は、市販されている三次元レーザースキャナと同様の機能を備える。なお、点群データに付与される三次元座標の座標系は、後述する測距部１０３、水平角検出部１０６および鉛直角検出部１０７によって得られる座標を扱う座標系と同じものが用いられる。記憶部１０２は、ＴＳ１００の動作に必要な制御プログラム、各種のデータ、測量結果等を記憶する。
【００３４】
測距部１０３は、測距用レーザー光を用いたターゲットまでの距離の計測を行う。測距部１０３は、測距用レーザー光の発光素子、照射光学系、受光光学系、受光素子、測距演算部、測距基準光の光路を備えている。測定対象までの距離は、測定対象から反射された測距光と基準光の位相差から算出される。距離の算出方法は、通常のレーザー測距と同じである。
【００３５】
追尾光発光部１０４および追尾光受光部１０５は、三角錐型または扇形ビームを有した探索用レーザー光を用いた反射プリズムの探索を行う。反射プリズムは、探索対象（視準目標）に備えられ、反射プリズムが探索およびレーザー照射対象となることで、探索対象（視準目標）の自動視準が行われる。すなわち、追尾光発光部１０４が発光した探索用レーザー光を反射プリズムに照射し、その反射光を追尾光受光部１０５の受光素子の中心に位置するよう制御することで、視準目標を追尾する。この制御は、反射体マスク制御部３００に含まれる自動視準制御部３０１で行なわれる。
【００３６】
水平角検出部１０６および鉛直角検出部１０７は、測距部１０３が測距したターゲットの水平方向角と鉛直方向角（仰角および俯角）を計測する。測距部１０３、追尾光発光部１０４および追尾光受光部１０５の光学系を備えた筐体部分は、水平回転および仰角（俯角）制御が可能であり、水平方向角と鉛直方向角は、エンコーダにより計測される。このエンコーダの出力が水平角検出部１０６および鉛直角検出部１０７で検出され、水平方向角と鉛直方向角（仰角および俯角）の計測が行われる。
【００３７】
水平回転駆動部１０８および鉛直回転駆動部１０９は、測距部１０３、追尾光発光部１０４および追尾光受光部１０５の光学系を備えた筐体部分の水平回転および仰角制御（および俯角制御）を行うモータ、該モータの駆動回路、該駆動回路の制御回路を含む。なお、この筐体部分と一緒にレーザースキャナ部１０１も水平回転する構造とされている。
【００３８】
表示部１１０は、ＴＳ１００を扱うオペレータ等に対して、その処理結果等を視覚的に認識できる状態、例えば、ＧＵＩ（Graphical User Interface）等の技術により、情報の提供または表示を行う。なお、前述のディスプレイ１８と１９はこれに該当する。操作部１１１は、テンキーや十字操作ボタン等が配され、ＴＳ１００に係る各種の操作やデータの入力が行なわれる。また、表示部１１０および操作部１１１は、オペレータが情報表示画面をタッチすることで動作するタッチパネル方式を採用することによって、一体化可能である。
【００３９】
通信部１１２は、通信部１１２が備えられる機器以外の機器との間で、各種情報およびデータの送受信を行う機能部であって、無線通信機能、有線通信機能および光通信機能のうち少なくとも一つを備える。例えば、前記いずれかの通信機能を用いて、レーザースキャナ部１０１によって得られた点群データやその点群データから作成されたデータの情報を他の機器（例えば、ＴＳ１００とは別個のコンピュータなどの外部情報処理装置）との間で送受信を行う。
【００４０】
演算制御部１１３は、後述する反射体マスク制御部３００を備えていることに加えて、ＴＳ１００の各種動作制御に係わる演算処理および記憶部１０２に記憶するデータの管理の制御を行う。演算制御部１１３は、例えば、ＣＰＵ（Central Processing Unit）、ＡＳＩＣ（Application Specific Integrated Circuit）、ＦＰＧＡ（Field Programmable Gate Array）に代表されるＰＬＤ（Programmable Logic Device）などの電子回路により構成される。また、一部の機能を専用のハードウェアで構成し、他の一部を汎用のマイコンにより構成することも可能である。
【００４１】
演算制御部１１３の各機能部を専用のハードウェアで構成するのか、ＣＰＵにおけるプログラムの実行によりソフトウェア的に構成するのかは、要求される演算速度、コスト、消費電力等を勘案して決定される。なお、機能部を専用のハードウェアで構成することとソフトウェア的に構成することは、特定の機能を実現するという観点からは、等価である。当然のごとく、各機能部を装置として実現することも等価である。
【００４２】
本発明の利用においてＴＳ１００は、測位機能およびレーザースキャナ機能を有しているものならば、ＴＳ等をはじめとする測量装置にも限定されず、他の装置へ代用可能である。例えば、上述の二つの機能を有するカメラや携帯端末等での代用が可能である。
【００４３】
（測定対象物の構成）
測定対象物２００は、ＴＳ１００によって自動視準および自動追尾されるために反射プリズム２０１を備える。測定対象物２００の形状は、反射プリズム等の光学的な反射体を備えていれば、特に限定しない。
【００４４】
（反射体マスク制御部の構成）
図５は、反射体マスク制御部３００のブロック図である。三次元情報処理部３００は、本発明における処理を司る部分であって、自動視準制御部３０１、測位部３０２、マスク角算出部３０３、スキャン制御部３０４を備える。
【００４５】
自動視準制御部３０１は、各機能部または各装置を機能または動作させることにより、測定対象の視準および追尾を行う。例えば、ＴＳ１００の追尾光発光部１０４および追尾光受光部１０５を機能させ、測定対象物２００を視準する。
【００４６】
測位部３０２は、各機能部または各装置を機能または動作させることにより、測定対象の三次元座標を得る。例えば、自動視準制御部３０１の制御によって視準されている測定対象物２００に備えられる反射プリズム２０１に対して、ＴＳ１００の測距部１０３、水平角検出部１０６および鉛直角検出部１０７を機能させ、ＴＳ１００を基準とした反射プリズム２０１の三次元座標を得る。
【００４７】
マスク角算出部３０３は、光学的な反射体の三次元座標および該反射体の寸法（サイズ）を基に、レーザースキャナまたはレーザースキャナ機能部から発せられるパルスレーザー光を射出（照射）しない角度であるマスク角Ｖを算出する。すなわち、マスク角Ｖは光学的な反射体をレーザースキャンしない角度であって、測距および測角結果から求められる反射体の三次元座標と反射体の寸法に応じて可変となる。なお、マスク角Ｖは測距によって得られる反射体までの距離は、短ければ短いほど大きくなり、遠ければ遠いほど小さくなる傾向がある。
【００４８】
マスク角Ｖは、レーザースキャナ部１０１のパルスレーザー光照射方向に対応した角度となる。例えば、図２におけるＸ軸方向を回転軸として回転部２５が回転し、Ｙ−Ｚ面上にパルスレーザー光を照射するならば、マスク角ＶはＹ−Ｚ面方向に対応した角度となる。マスク角の算出は、上述のパルスレーザー光照射方向に対応した角度とした算出だけでなく、ＴＳ１００の本体部１１が行う水平回転（図２におけるＺ軸回りの回転）に対応した角度として算出してもよい。
【００４９】
なお、光学的な反射体の寸法は既知である必要があるため、予め寸法情報を入力または登録等しておく。したがって、マスク角算出部３０３は反射体の寸法情報を受け付ける機能部である反射体サイズ受付部（図示省略）を備える。反射体サイズ受付部は、マスク角算出部３０３に反射体の寸法情報を受け渡せれば、マスク角算出部３０３に備えられることに限定されない。また、レーザースキャナまたはレーザースキャナ機能部からパルスレーザー光を複数条の照射を行う場合は、各パルスレーザー光についてマスク角Ｖを算出する。
【００５０】
マスク角算出部３０３は、レーザースキャナまたはレーザースキャナ機能部から発せられるパルスレーザー光の照射範囲に光学的な反射体が複数あった場合、反射体ごとにマスク角Ｖの算出を行う。
【００５１】
スキャン制御部３０４は、レーザースキャナまたはレーザースキャナ機能部を動作または機能させることにより、対象の点群データを得る。なお、得られた点群データには、測位部３０２で得られる三次元座標データが付与される。例えば、ＴＳ１００のレーザースキャナ部１０１を機能させ、測定対象物２００についての三次元座標情報を有する点群データを得る。
【００５２】
また、スキャン制御部３０４は、マスク角算出部３０３が算出したパルスレーザー光を照射しない角度を除いた範囲をレーザースキャン範囲とする制御も行う。例えば、ＴＳ１００のレーザースキャナ部１０１から測定対象物２００の測定に対応するパルスレーザー光の照射範囲が１５５°〜１８５°であって、マスク角算出部３０３で算出されたマスク角度Ｖｍが１７０°〜１７５°であるならば、スキャン制御部３０４は、１５５°〜１７０°および１７５°〜１８５°の範囲について、レーザースキャナ部１０１の発光部にパルスレーザー光を照射させる。
【００５３】
反射体マスク制御部３００は、信号生成部（図示省略）を備えることでレーザースキャナまたはレーザースキャナ機能部に対して、マスク角算出部３０３で算出されたマスク角の情報を付した信号を送信することで直接的に制御を行ってもよいし、報知装置へ信号を送信することで、本発明の利用者に視覚的または聴覚的に認識させ、本発明の利用者を介して、間接的に制御を行ってもよい。
【００５４】
スキャン制御部３０３において得られた点群データや、マスク角算出部３０３において用いられる光学的な反射体の寸法（サイズ）データは、反射体マスク制御部３００内に備えられる記憶部（図示省略）に記憶してもよいし、反射体マスク制御部３００が備えられる装置の記憶部（本実施形態ならば、ＴＳ１００の記憶部１０２）や反射体マスク制御部３００と通信可能な装置の記憶部に記憶させてもよい。
【００５５】
（処理の一例）
本実施形態における処理の一例を図６に示す。ここで示す処理では、ＴＳ１００のレーザースキャナ部１０１は、測定対象物２００に対して鉛直方向にスキャン（図２のＹ−Ｚ面内でのスキャン）を行い、反射プリズム２０１の寸法情報は予め得られているものとして説明する。
【００５６】
まず、測定対象物２００に備えられる反射プリズム２０１に対して、ＴＳ１００により自動視準を行う（ステップＳ１０１）。次に、自動視準された反射プリズム２０１に対して測位を行い、反射プリズム２０１の三次元座標データを得る（ステップＳ１０２）。
【００５７】
そして、ステップＳ１０２で得られる反射プリズム２０１の三次元座標データ、既知である反射プリズム２０１の寸法およびレーザースキャナ部１０１のパルスレーザー光照射範囲から測定対象物２００にパルスレーザー光を照射する際に反射プリズムに該当する部分としてマスクするマスク角度を算出する（ステップＳ１０３）。
【００５８】
ステップＳ１０３の処理で得たマスク角に該当しない範囲かつ測定対象物２００の測定に対応する範囲について、スキャンを行う（ステップＳ１０４）。以上の処理により、反射プリズム２０１に該当する部分を除いた測定対象物２００の点群データを得られたことによって、処理を終了する。
【００５９】
上述の処理（ステップＳ１０１〜ステップＳ１０４）においては、移動しない測定対象物２００を点群データ取得対象としたが、本発明の技術は測定対象物２００が移動体であっても利用可能である。その場合のフローは、図６と同様ではあるが、ステップＳ１０１およびステップＳ１０２の処理内容が変わる。
【００６０】
測定対象物２００が移動体である場合のステップＳ１０１では、測定対象物２００に備えられる反射プリズム２０１に対して、ＴＳ１００により自動視準を行い、測定対象物２００の移動に合わせてＴＳ１００が自動追尾を行えるようにする。これは、ＴＳ１００が移動体である測定対象物２００を自動追尾できていることで、次のステップで行う測位が可能となるためである。
【００６１】
そして、ステップＳ１０２では、視準され自動追尾されている反射プリズム２０１の測位を行い、反射プリズム２０１の三次元座標データを得る。その後は、上述のステップＳ１０３、ステップＳ１０４同様の処理を順に行い、処理終了となる。
【００６２】
（変形例１）
本発明の実施においては、光学的な反射体からの反射光を受光素子に入れないよう、受光光路に光シャッター等の光路遮断機を設ける実施形態でもよい。この場合は、照射されるパルスレーザー光が反射体に反射されて受光素子に返ってくるタイミングで光路の遮断を行う。
【００６３】
反射光が返ってくるタイミングは、パルスレーザー光の速度および測位部３０２が取得する反射体の三次元座標から算出できる距離によって算出可能である。ここで、パルスレーザー光の速度の算出は、測位部３０２により距離を算出できる任意の地点に対して、パルスレーザー光を照射（発光）してから受光するまでの時間を計測することで算出可能である。
【００６４】
この変形例の場合は、上述のマスク角算出部３０３に変えて、マスク時刻算出部（図示省略）を反射体マスク制御部３００に備える構成にできる。なお、この場合のスキャン制御部３０４は測定対象物２００へのパルスレーザー光の照射をマスク角Ｖ等の制限なく行う。
【００６５】
なお、マスク角の範囲で受光素子をＯＦＦにする態様も可能である。この場合、マスク角の範囲を光軸が指向するタイミングでスキャン光の受光素子をＯＦＦにし、強度の強い反射光を受光素子が検出しないようにする。
【００６６】
本変形例において、光路遮断機による光遮断機能および受光素子をＯＦＦすることによる光遮断機能は、どちらか一つの機能を備えていれば足りるが、二つの機能を併用してもよい。二つの機能を併用することで、より確実に反射光を遮断できる。さらに、上述したレーザースキャナの発光部の動作と併せて、機能させてもよい。
【００６７】
（変形例２）
レーザースキャナによる１軸回転スキャンを行いながら、レーザースキャナを備えたＴＳ本体を水平角回転させる場合（例えば、回転部２５が図２におけるＸ軸方向を回転軸として回転し、かつ本体部１１が水平回転（図２におけるＺ軸回りの回転）をする場合）、レーザースキャナの測定範囲は二次元平面から三次元空間へ拡大する。この場合において本発明を利用すると、測定対象を正面だけでなく側面から測定できるため、多様な形状の光学的な反射体に対応ができるようになる。
【００６８】
また、点群データを得たい任意の大きさの空間において、該空間内に光学的な反射体が複数存在していた場合、光学的な反射体ごとの三次元座標を測定または取得することで、各反射体の位置に対応するマスク角Ｖを算出し、算出された各マスク角Ｖを避けるようにパルスレーザー光の照射することも可能となる。該空間内に移動する光学的な反射体が複数あった場合は、複数台の測位機能を持つ機器により、各反射体の三次元座標を測定し、その三次元座標データを通信等によって取得する形態であってもよい。
【００６９】
（汎用性）
反射体マスク制御部３００が行う処理（上述の処理の一例のステップＳ１０１〜ステップＳ１０４）は、ＴＳ１００の演算制御部１１３を介してＴＳ１００の各機能を動作させればよいため、演算制御部１１３と反射体マスク制御部３００の間で信号の送受信が行えるのならば、反射体マスク制御部３００の測量機器に備えられることにも限定されない。つまり、反射体マスク制御部３００を別個の装置としてもよい。例えば、反射体マスク制御部３００を別個の装置として、市販されている三次元レーザースキャナ装置およびＴＳとを組み合わせて、本発明を実施することが考えられる。
【００７０】
（優位性）
本発明の優位性は、受光素子の飽和により、従来取得できない場合が多かった光学的な反射体付近の点群データを取得可能となることが挙げられる。さらに、本発明の技術は、光学的な反射体が複数あったとしても利用できる点においても優位性がある。
【産業上の利用可能性】
【００７１】
本発明は、光学的な反射体を用いた測量技術に利用可能である。
【符号の説明】
【００７２】
１１…本体部、１２…台座、１３…可動部、１４a…水平回転角制御ダイヤル、１４b…鉛直回転角制御ダイヤル、１５a…照準器、１５b…照準器、１６…望遠鏡、１７…接眼部、１８…ディスプレイ、１９…ディスプレイ、２０…ＴＳ本体、２１…塔部、２２…塔部、２３…結合部、２４…保護ケース、２５…回転部、２６…斜めミラー、１００…（レーザースキャナ付き）ＴＳ、１０１…レーザースキャナ部、１０２…記憶部、１０３…測距部、１０４…追尾光発光部、１０５…追尾光受光部、１０６…水平角検出部、１０７…鉛直角検出部、１０８…水平回転駆動部、１０９…鉛直回転駆動部、１１０…表示部、１１１…操作部、１１２…通信部、１１３…演算制御部、２００…測定対象物、２０１…反射プリズム、３００…反射体マスク制御部、３０１…自動視準制御部、３０２…測位部、３０３…マスク角算出部、３０４…スキャン制御部。
【図１】
2019113507.tif 000003
【図２】
2019113507.tif 000004
【図３】
2019113507.tif 000005
【図４】
2019113507.tif 000006
【図５】
2019113507.tif 000007
【図６】
2019113507.tif 000008